(57)【要約】  本発明は、少なくとも（例えば、ＧＳＭ、ＷＣＤＭＡ、およびＧＰＲＳに基づく）第１のアクセスネットワークと（例えば、ＵＭＡＮ、ＷＬＡＮ、およびＢｌｕｅｔｏｏｔｈ（登録商標）に基づく）第２のアクセスネットワークとを備えるデータネットワークにおいて、回路スイッチコールまたはパケットスイッチ接続を再確立する端末装置および方法に関する。この端末装置および方法では、端末装置において第１のアクセスネットワークを介して確立された回路スイッチコールまたはパケットスイッチ接続の障害の検出が行われ、障害が検出された場合、第２のアクセスネットワークへの登録をチェックした結果に応じて、第２のアクセスネットワークを介して接続再確立が開始される。したがって、特に、第１のアクセスネットワークを介するコール再確立が許可されない場合、他のアクセスネットワークへの受信可能領域が使用可能であれば、新しいオプションが提供されることによって接続障害を回避することができる。
2008533894.tif 000002
【特許請求の範囲】
【請求項１】
少なくとも第１のアクセスネットワークと第２のアクセスネットワークとを備えるデータネットワークにおいて、回路スイッチコールまたはパケットスイッチ接続を再確立する方法であって、該方法は、
ａ）前記第１のアクセスネットワークを介して確立した前記回路スイッチコールまたはパケットスイッチ接続の障害を検出するステップと、
ｂ）前記第２のアクセスネットワークへの登録が行われるか否かをチェックするステップと、
ｃ）前記第２のアクセスネットワークの新しい使用セルを選択するステップと、
ｄ）前記検出するステップにおいて障害が検出された場合、前記チェックするステップの結果に応じて、前記第２のアクセスネットワークを介する接続再確立を開始するステップと、を備える方法。
【請求項２】
前記開始するステップは、前記第２のアクセスネットワークの新しい使用セルへの進入手続を開始するステップを備える、請求項１に記載の方法。
【請求項３】
前記進入手続は、異常リリースとセル再選択の失敗後、前記第１のアクセスネットワークにおけるセル選択より優先して行われる、請求項２に記載の方法。
【請求項４】
前記進入手続は、ＧＥＲＡＮにおけるコール再確立手続によって、またはＧＰＲＳにおける再選択を伴う異常リリースによって行われる、請求項２または３に記載の方法。
【請求項５】
前記第１のアクセスネットワークは、無線免許アクセスネットワークを備え、前記第２のアクセスネットワークは、無線無免許アクセスネットワークを備える、請求項１〜４のいずれか１項に記載の方法。
【請求項６】
前記コールは、パケットスイッチコールまたは接続である、請求項１〜５のいずれか１項に記載の方法。
【請求項７】
前記第１のアクセスネットワークは、ＧＥＲＡＮを備え、前記第２のアクセスネットワークは、ＵＭＡＮを備える、請求項６に記載の方法。
【請求項８】
前記コールは、回路スイッチコールである、請求項１〜５のいずれか１項に記載の方法。
【請求項９】
前記第１のアクセスネットワークは、ＧＳＭネットワークを備え、前記第２のアクセスネットワークは、ＵＭＡＮを備える、請求項８に記載の方法。
【請求項１０】
前記第２のアクセスネットワークがコール再確立をサポートするか否かをチェックするステップをさらに備える、請求項１〜９のいずれか１項に記載の方法。
【請求項１１】
コンピュータ装置上で実行される場合、請求項１〜１０のいずれか１項のステップを実施するよう適合したコード手段を備える、コンピュータプログラムプロダクト。
【請求項１２】
第１のアクセスネットワークとアクセスと第２のアクセスネットワークとへのアクセスを提供する端末装置であって、該端末装置（２０）は、
ａ）前記第１のアクセスネットワークを介して確立された回路スイッチコールまたはパケットスイッチ接続の障害を検出する検出手段（２４）と、
ｂ）前記第２のアクセスネットワークへの登録をチェックするチェック手段（２８）と、
ｃ）前記第２のアクセスネットワークの新しい使用セルを選択する選択手段（２８）と、
ｄ）前記検出手段（２４）の出力および前記チェック手段（２８）の結果に応じ、前記第２のアクセスネットワークを介する接続再確立を開始する信号制御手段（２８）と、を備える端末装置。
【請求項１３】
前記信号制御手段（２８）は、前記第２のアクセスネットワークの新しい使用セルへの進入手続を開始するよう構成される、請求項１２に記載の端末装置。
【請求項１４】
前記信号制御手段（２８）は、前記進入手続が、異常リリースとセル再選択の失敗後、前記第１のアクセスネットワークにおけるセル選択より優先して行われるよう構成される、請求項１３に記載の端末装置。
【請求項１５】
前記第１のアクセスネットワークは、無線免許アクセスネットワークを備え、前記第２のアクセスネットワークは、無線無免許アクセスネットワークを備える、請求項１２〜１４のいずれか１項に記載の端末装置。
【請求項１６】
前記コールは、パケットスイッチコールまたは接続である、請求項１２〜１５のいずれか１項に記載の端末装置。
【請求項１７】
前記第１のアクセスネットワークは、ＧＥＲＡＮを備え、前記第２のアクセスネットワークは、ＵＭＡＮを備える、請求項１６に記載の端末装置。
【請求項１８】
前記コールは、回路スイッチコールである、請求項１２〜１５のいずれか１項に記載の端末装置。
【請求項１９】
前記第１のアクセスネットワークは、ＧＳＭネットワークを備え、前記第２のアクセスネットワークは、ＵＭＡＮを備える、請求項１８に記載の端末装置。
【請求項２０】
前記信号制御手段（２８）は、前記第２のアクセスネットワークがコール再確立をサポートするか否かをチェックするよう構成される、請求項１２〜１９のいずれか１項に記載の端末装置。
【発明の詳細な説明】
【技術分野】
【０００１】
本発明は、ＵＭＡＮ（無免許モバイルアクセスネットワーク（Unlicensed Mobile Access Network））またはＷＬＡＮ（無線ローカルエリアネットワーク（Wireless Local Area Network））などの無線無免許アクセスネットワークや、ＧＳＭ（移動通信用グローバルシステム（Global System for Mobile communication））ネットワーク、ＷＣＤＭＡ（広帯域符号分割多重アクセス方式（Wideband Code Division Multiple Access））ネットワーク、またはＧＰＲＳ（汎用パケット無線サービス（General Packet Radio Service））ネットワークなどの無線免許アクセスネットワークなどの少なくとも第１のアクセスネットワークおよび第２のアクセスネットワークを備えるデータネットワークにおけるコールを再確立するための方法および端末装置に関する。
【背景技術】
【０００２】
Ｂｌｕｅｔｏｏｔｈ（登録商標）およびＷｉＦｉ（登録商標）を含む無免許モバイルアクセス（ＵＭＡ）技術によって、無免許スペクトルを介して、例えば、ＧＳＭ、ＷＣＤＭＡ、またはＧＰＲＳを介して提供されるサービスなどのセル式移動通信サービスへのアクセスが可能になる。このＵＭＡ技術によって、無免許無線ネットワーク上で移動通信用音声およびデータサービスを中断せずに送信することができる。セル式無線アクセスネットワークおよび無免許無線ネットワーク上で同一の移動通信識別情報が提供されることによって、これらのネットワーク間で中断せずに中継（例えばローミングやハンドオーバ）を行うことができる。
【０００３】
ＧＳＭシステムでは、無線リンク障害によってＧＳＭ  ＲＲ（無線リソース（Radio Resource）接続が切断されそうな場合、可能であれば、コール再確立手続を適用する。ＳＹＳＴＥＭ  ＩＮＦＯＲＭＡＴＩＯＮ  ＴＹＰＥ１、２、２ビス、３、および４のメッセージで移動通信に一斉送信される情報要素（ＩＥ）のランダムアクセスチャネルの制御パラメータ（Control Parameter of Random Access Channel (RACH)）中に、ＧＳＭコール再確立を使用することができるか否かが示される。
【０００４】
３ＧＰＰ（第３世代標準化プロジェクト（3rd Generation Partnership Project））仕様書ＴＳ４４．０１８によれば、専用モード中に無線リンク障害が検出された後、ＧＳＭコール再確立手続を開始することができる。
【０００５】
移動局（ＭＳ）は、無線リンク障害を検出したとき、特に指定されない限り、すべての信号リンク上でローカルエンドリリースを実行し、すべての専用チャネルを非アクティブにする。移動局がデュアル転送モードの場合、特に指定されない限り、パケットリソースをアボートし、移動局のＲＲサブレイヤは、ＭＭ（移動管理（Mobility Management））サブレイヤにＲＲ接続障害を示す。
【０００６】
より上層のレイヤによって再確立に関する決定が行なわれることもあることに留意されたい。ＭＭ接続がアクティブの場合、ＭＭサブレイヤがコール制御エンティティに示すことによって、現時点のＭＭ接続は中断されたがコール制御の要求に応じて再確立することができることを通知することもできる。コール制御は、コール再確立が許可されるか否かと実際の状態とに従って、再確立を要求するかまたはＭＭ接続をリリースするかを決定する。コールがコール確立フェーズまたはコールクリアフェーズにある場合、すなわち、「アクティブ」状態または「移動通信による変更」状態以外の任意の状態の場合、コール制御は、ＭＭ接続をリリースする。一方、コールが「アクティブ」状態または「移動通信による変更」状態の場合、ＭＭから再確立が可能であることが示されると、コール制御は、ＭＭ接続からの再確立を要求し、他の任意のメッセージの送信を中断し、再確立の手続が完了するのを待つ。ＭＭ接続が再確立されると、コール制御（Call Control）（ＣＣ）に通知される。すると、コール制御は、適切なチャネルを使用することができる場合、中断された可能性のあるメッセージの送信を再開し、ユーザデータの交換を再開する。
【０００７】
コール再確立のために使用するＧＳＭセルは、３ＧＰＰ仕様書ＴＳ４５．００８で採用された規則に従って選択される。無線リンク障害が起きた場合、（３ＧＰＰ  ＴＳ４４．０１８における手続に従って）コール再確立を試行してもよい。ＭＳは、予め定められたアルゴリズムを実行することによって、コール再確立を試行するのにどのセルを使用するかを決定する。ＭＳは、コール再確立を試行するきっかけとなった無線リンク障害をＭＳ内で検出してから２０秒経過後は、いかなる状況においても、コール再確立を試行するためのセルへのアクセスが許可されない。コール再確立が成功しないまま２０秒経過した場合、コール再確立の試行を放棄する。
【０００８】
セル再選択（３ＧＰＰ仕様書ＴＳ４４．０６０を参照）を伴う異常リリースが起きた場合、ＢＡ（ＧＰＲＳ）に基づいて異常セル再選択が試行される。ＭＳは、３ＧＰＰ仕様書４５．００８で採用された規則に従って、セル再選択を試行するのにどのセルを使用するかを決定する。やはり、ＭＳは、異常セル再選択を試行するきっかけとなった異常リリースをＭＳ内で検出してから２０秒経過後は、いかなる状況においても、異常セル再選択を試行するためのセルへのアクセスが許可されない。異常セル再選択が成功しないまま２０秒経過した場合、この試行を放棄する。
【０００９】
ＵＭＡコンソーシアムステージ３仕様書では、情報要素（ＩＥ）のＵＭＡの制御チャネル記述（Control Channel Description of UMA）に‘ＲＥ’フィールドが採用されている。このフィールドによって、ＵＭＡセルにおいてコール再確立が許可されるか否かを規定する。ＭＳは、ＵＭＡ登録中のＵＭＡネットワーク制御装置（ＵＮＣ）からのＵＲＲ  ＲＥＧＩＳＴＥＲ  ＡＣＣＥＰＴメッセージ中の必須要素として、このＵＭＡ制御チャネル記述（UMA Control Channel Description）を受け取る。
【００１０】
ＵＲＲメッセージのＲＥＧＩＳＴＥＲ  ＡＣＣＥＰＴは、オプションのＵＭＡ情報要素のセル記述（Cell Description）を有する。このセル記述によって、ＵＭＡセルのＡＲＦＣＮ（絶対無線周波数キャリヤ番号（Absolute Radio Frequency Carrier Number））およびＢＳＩＣ（基地局識別コード（Base Station Identity Code））を規定する。この情報要素が存在することは、ＧＥＲＡＮに使用ＵＭＡセルを報告する条件である。オプションフィールドのセル記述（Cell Description）が存在しなければ、使用ＵＭＡセルの報告を行うことはできない。すなわち、ＧＳＭからＵＭＡへのハンドオーバ命令、すなわちＧＳＭからＵＭＡへのパケットセル変更命令（ＰＣＣＯ（Packet Cell Change Order）が実行不可能であることを意味する。
【００１１】
ＭＳは、（ソースＲＡＴ）測定報告手続を使って、音声通話または信号セッションのためＵＭＡＮへのハンドオーバを「要求」する。ＵＭＡ  ＲＲのＵＮＣへの登録が成功した後、この手続は開始される。
【００１２】
しかしながら、ＧＳＭ専用モードのＭＳがＵＮＣに登録されたが、すなわち、ＵＲＲがＵＲＲ−ＲＥＧＩＳＴＥＲＥＤ状態であるが、ＵＮＣがＵＲＲ  ＲＥＧＩＳＴＥＲ  ＡＣＣＥＰＴ中にＵＭＡセル記述（UMA Cell Description）を提供せず、無線リンクのタイムアウトによってＭＳのＧＳＭ  ＲＲ接続が切断されようとしているとき、問題が生じる。測定報告において使用ＵＭＡセルを参照することができないため、ＧＳＭからＵＭＡへのハンドオーバは、問題外である。ＧＳＭにおけるコール再確立が実行不可能であるかまたは失敗すれば、ＭＳの現行のＣＳ接続が切断されることになる。しかし、使用ＵＭＡセルがコール再確立をサポートする場合、原理的には、ＭＳは、使用ＵＭＡセルへの進入（すなわち、ＵＭＡへのアクセス）を開始し、このＵＭＡセルを介してコール再確立を開始し、ＵＲＲプロトコルを介して接続を再開することができる。
【００１３】
また、ＵＭＡのＡＲＦＣＮとＢＳＩＣとがＧＳＭの隣接セルリスト中のＡＲＦＣＮとＢＳＩＣとの組合せの１つに一致する場合、上記の問題が生じる。この場合も、ＵＭＡセルは、測定値報告でネットワークに報告されず、ＧＳＭからＵＭＡへのハンドオーバ（すなわち、ＰＣＣＯ）を実行することができない。
【００１４】
さらに、ＵＭＡセルが報告されたとしても、ＧＥＲＡＮがハンドオーバすなわちＰＣＣＯをＵＭＡＮに命じないこともある。
【００１５】
ＴＳ４４．０６０では、異常リリース手続を制御するのに使用されるＲＬＣ／ＭＡＣ（無線リンク制御／媒体アクセス制御（Radio Link Control/Medium Access Control）プロトコル信号に関して、数個のタイマが指定される。他のセルにおけるアクセスが許可されており、かつＭＳがＣＳ接続の専用モードでない場合、ＭＳは、進行中のすべての一時的ブロックフロー（Temporary Block Flow）（ＴＢＦ）をアボートし、パケットアイドルモードに戻る。ＭＳは、新しいセルにおいて共通制御チャネル（Common Control Channel）（ＣＣＣＨ）またはパケット共通制御チャネル（Packet Common Control Channel）（ＰＣＣＣＨ）上の手続を使って、異常セル再選択（３ＧＰＰ  ＴＳ４５．００８を参照）を実行し、アップリンクＴＢＦの確立を開始する。他の適合セルが使用可能な場合、ＭＳは、予め定められた時間元のセルを再選択することはない。
【００１６】
異常セル再選択を放棄した場合（３ＧＰＰ  ＴＳ４５．００８を参照）、ＭＳはより上層のレイヤにＲＬＣ／ＭＡＣ障害を報告する。移動局が異常リリースの生じたセルに留まる場合、不連続受信（Discontinuous Reception）（ＤＲＸ）モード手続が適用される。こうして、パケットスイッチ型（ＰＳ）データコールは失敗し、移動局は、新しいセル選択を開始する。
【発明の開示】
【発明が解決しようとする課題】
【００１７】
したがって、本発明の目的は、コール再確立または異常リリースによるセル再選択のための改良方法および改良システムを提供することである。これによって、ＵＭＡ受信可能領域が使用可能である場合、接続障害を防止することができる。
【課題を解決するための手段】
【００１８】
本目的は、少なくとも第１のアクセスネットワークと第２のアクセスネットワークとを備えるデータネットワークにおいて、ＣＳコールまたはＰＳ接続を再確立する方法によって実現される。該方法は、
・前記第１のアクセスネットワークを介して確立されたＣＳコールまたはＰＳ接続の障害を検出するステップと、
・前記第２のアクセスネットワークへの登録が行われるか否かをチェックするステップと、
・前記第２のアクセスネットワークの新しい使用セルを選択するステップと、
・前記検出するステップにおいて障害が検出された場合、前記チェックするステップの結果に応じて、前記第２のアクセスネットワークを介する接続再確立を開始するステップと、を備える。
【００１９】
さらに、上記の目的は、第１のアクセスネットワークと第２のアクセスネットワークとへのアクセスを提供する端末装置によって実現される。該端末装置は、
・前記第１のアクセスネットワークを介して確立されたＣＳコールまたはＰＳ接続の障害を検出する検出手段と、
・前記第２のアクセスネットワークの新しい使用セルを選択する選択手段と、
・前記第２のアクセスネットワークへの登録をチェックするチェック手段と、
・前記検出手段の出力および前記チェック手段の結果に応じ、前記第２のアクセスネットワークを介する接続再確立を開始する信号制御手段と、を備える。
【００２０】
従って、例えば、ＵＭＡＮなどの無線無免許アクセスネットワークなどの第２のアクセスネットワークをサポートするＭＳに新しいオプションが提供される。これによって、特に、例えば、ＧＳＭまたはＧＰＲＳネットワークなどの無線免許アクセスネットワークなどの第１のアクセスネットワークを介するコール再確立が許可されないところで、第２のアクセスネットワークの受信可能領域が使用可能であるとき、第１のアクセスネットワークにおける接続障害を回避することができる。基本的な考え方は、コール再確立、またはセル再選択を伴う異常リリースのいずれかによって行われるセル再選択の候補として、ＭＳが他のアクセスシステムのセルを使用することができるようにすることである。ＭＳがすべての再確立手続を介して第２のアクセスネットワークの使用セルを選ぶことができるという事実によって、接続の中断時間がより短くなる。したがって、提案された解決法によって、例えば、第２のアクセスネットワークが使用可能である２つのアクセスネットワーク間の境界領域におけるユーザ体験は改善される。また、本解決法の実現によって、コアネットワークにおける現存のコール再確立手続は、何ら変更されない。
【００２１】
さらに、異常リリースと再選択の失敗の後、第１のアクセスネットワークにおいてセル選択を行う前に第２のアクセスネットワークの新しい使用セルに進入すれば、ＰＳコールまたはＰＳ接続のユーザ体験を改善することができる。
【００２２】
再確立の開始は、第２のアクセスネットワークの新しい使用セルへの進入手続の開始を備えることもある。この進入手続は、異常リリースとセル再選択の失敗後、第１のアクセスネットワークにおけるセル選択よりも優先して行われてもよい。
【００２３】
その上、第１のアクセスネットワークは、無線免許アクセスネットワークを備えてもよく、第２のアクセスネットワークは、無線無免許アクセスネットワークを備えてもよい。コールは、パケットスイッチコールまたはパケットスイッチコール接続でもよい。そして、第１のアクセスネットワークは、ＧＥＲＡＮを備えてもよく、第２のアクセスネットワークは、ＵＭＡＮを備えてもよい。代替方法として、コールは回路スイッチコールでもよい。そして、第１のアクセスネットワークは、ＧＳＭネットワークを備えてもよく、第２のアクセスネットワークは、ＵＭＡＮを備えてもよい。
【００２４】
さらに、チェックステップは、第２のアクセスネットワークがコール再確立をサポートするか否かをチェックするために提供されてもよい。
【００２５】
この解決法は、コンピュータ装置上で実行される場合、上記方法ステップを実施するのに適合したコード手段を備えるコンピュータプログラムプロダクトとして実現することができる。このコンピュータプログラムプロダクトは、コンピュータ読み取り可能な媒体において、またはデータネットワークからのダウンロード処理を介して、配布することができる。
【００２６】
他の有益な変更は、従属請求項において規定される。
【発明を実施するための最良の形態】
【００２７】
次に、添付図面を参照ながら、実施例に基づいて本発明について説明する。
【００２８】
下記において、ＵＭＡとＧＳＭとを併用する受信可能領域におけるコール再確立手続に関連して、本発明の実施例を説明する。
【００２９】
本実施例によれば、ＧＳＭコール再確立とＧＳＭからＵＭＡへのハンドオーバは、実行不可能であるかまたはまだ実行されていないが、ＭＳは、既にＵＭＡＮに登録されている場合、ＧＳＭ無線リンク障害から復旧するための新しい選択が提示される。基本的な考え方は、コール再確立基準が満たされ、ＭＳがＵＭＡに登録されている状況において、ＭＳもまたコール再確立のためにＵＭＡセルを使用することができるようにすることである。
【００３０】
しかしながら、このコール再確立の考え方は、ＧＳＭシステムとＵＭＡシステムとの間の相互作用に制限されない。コアネットワークにおけるコール再確立手続のための送信媒体の他に、ＵＭＡ以外のシステムを使用することができる。
【００３１】
また、提案した手続は、他のＧＳＭセルへの（異常）セル再選択を実行することができない場合、パケットデータ転送障害から復旧するのに適用されるよう拡張することができる。この場合、ＭＳは、ＣＮに障害を示す代わりに、新しい使用ＵＭＡセルへの進入を開始しＵＭＡ側においてパケット接続確立を開始することができる。
【００３２】
ＭＳは、その領域におけるＵＭＡセルがＧＳＭからＵＭＡへのハンドオーバをサポートしない場合でも、提案した手続を使って、ＣＳ接続中にＧＳＭからＵＭＡに変更し、ＣＳコールの中断を回避することができる。ＵＭＡを実現する任意の移動局製造業者は、ＧＳＭ−ＵＭＡ境界領域におけるＣＳコールおよびＰＳコールまたはＰＳ接続の中断を回避することができることによって利点を得る。
【００３３】
移動局側で実現するため、３ＧＰＰ仕様書ＴＳ４４．０１８において、ＧＳＭ無線リンクタイムアウトが生じた場合、ＵＭＡをサポートするＭＳがコール再確立のため新しい使用ＵＭＡセルへの進入を開始することができるよう仕様を設定しなければならないという程度の変更を要する。さらに、３ＧＰＰ仕様書ＴＳ４５．００８における追加変更によって、ＭＳは、コール再確立を試行するのにどのセル使用するかを決定するとき選択されるＵＭＡセルを使用することもできるようにしなければならない。本発明をパケットスイッチコールの場合に拡張するため、ＴＳ４５．００８を変更することによって、使用ＵＭＡセルの利用が異常セル再選択手続と関連するであろう。
【００３４】
他の好ましい実現方法は、新しい進入条件を付加することでもよい。これは、以下のように実行される。
【００３５】
ＵＭＡ受信可能領域に入るとき、かつＧＰＲＳ  ＮＣ２モードである場合、ＭＳは、常にＧＥＲＡＮネットワークに準拠する。すなわち、ＭＳ自体で進入手続を実行しない。ＧＰＲＳ  ＮＣ２モードでない場合、ＭＳは、ユーザ選択およびサービスプロバイダの構成に従ってアクセスポイント（ＡＰ）に接続するよう選ぶことができる。ＵＭＡＮを見つけた後、ＭＳは、ＵＭＡＮへの登録を開始する。
【００３６】
さらに、ＧＥＲＡＮにおけるコール再確立手続によって、ＧＰＲＳに関しては再選択を伴う異常リリースによって、進入が行われることがある。登録が成功した後、ＭＳは、使用ＲＲエンティティがＵＭＡ−ＲＲであるＵＭＡモードに切り替わる。ＵＭＡ−ＲＲは、登録が成功した後使用ＵＮＣから受け取った適切なシステム情報をＮＡＳレイヤに報告する。その後ＧＳＭ−ＲＲは、ＲＲ−ＳＡＰから分離される。
【００３７】
ＧＳＭ−ＲＲは、ＮＡＳから分離され、より上層のレイヤに使用されていないので、セル再選択および／または現時点で使用中のセルのシステム情報の変更に関してＭＭレイヤに何も通知しない。また、新たに見つけたＧＳＭ  ＰＬＭＮの検出は、ＮＡＳが選択したＰＬＭＮを変更するきっかけにならない。ＭＭは、ＵＭＡセルが現時点の使用セルであるとみなす。ＧＳＭ  ＲＲは、受け取ったページングリクエストメッセージに従って動作しない。
【００３８】
特に、ＭＳは、現存のアルゴリズムに新しいアルゴリズムを加えたり拡張したりすることによって、コール再確立を試行するのに使用するセルを決定することができる。ＭＳは、無線リンク障害を検出したとき、すべての信号リンクにローカルエンドリリースを実行する。その後、ＭＳは、すべての専用チャネルを非アクティブにする。移動局がＵＭＡをサポートしていて、コール再確立をサポートするＵＮＣに登録されている場合、ＭＳは、ＵＭＡへの進入を開始し、ＵＭＡモードに入った後ＭＭサブレイヤにＧＳＭ接続障害を示してもよい。それから、ＣＮは、特定のコール再確立動作を続行してもよい。
【００３９】
（ＵＭＡ以外の）他のＲＡＮとの相互作用をサポートするＭＳは、他の無線アクセスネットワーク（ＲＡＮ）のセルが適合し、このセルにおけるコール再確立が許可された場合、他のＲＡＮのセルを選ぶことができる。しかしながら、これに関して、ＧＥＲＡＮにおけるコール再確立を放棄する前に他のＲＡＮのセルを試行することはできない。
【００４０】
３ＧＰＰ仕様書ＴＳ４４．０６０によるセル再選択を伴う異常リリースの場合、ＢＡ（ＧＰＲＳ）に基づいて異常セル再選択を試行することができる。そして、ＭＳは、ＵＭＡをサポートし、かつＵＭＡＮに登録されている場合、ＴＳ４５．００８で指定されるアルゴリズムに従って適合するＧＳＭセルが見つからなければ、新しい使用ＵＭＡセルへの進入を開始してもよい。
【００４１】
ＭＳは、他のＲＡＮまたは他のシステムへのアクセスをサポートする場合、他のシステムへのセル再選択を行うことによって直面した異常リリースから回復することもできる。
【００４２】
以下では、第１および第２の実施形態のそれぞれに関して、ＣＳコールおよびＰＳコールのための再確立手続に関する具体例について説明する。
【実施例１】
【００４３】
図１は、第１の好ましい実施例による上記３ＧＰＰ仕様書に基づくＣＳコールの再確立のための信号および処理の概略図である。
【００４４】
ステップＳ１において、ＵＲＲは、ＢＴ／ＷＬＡＮ基地局を見つけ、その基地局に加わる。ＵＲＲとＵＭＡネットワーク制御装置（ＵＮＣ）との間のＵＭＡ登録手続の後、ＵＭＡセルのＡＲＦＣＮおよびＢＳＩＣが使用不可能であるという事実により、ＢＳＳ（基地局サブシステム（Base Station Subsystem））にＵＭＡセルを報告することができない。ＭＳは、ＢＳＳに使用ＵＭＡセルを報告したかもしれないが、ＢＳＳは、ＵＭＡＮへのハンドオーバを命じていない。ステップＳ２において、ＵＲＲは、ＵＭＡセルがコール再確立をサポートするか否かをＲＲに示す。
【００４５】
ＵＲＲ登録の後、ＧＳＭ  ＲＲ接続が無線リンクタイムアウトのため切断されようとしており（ステップＳ３）、使用ＵＭＡセルがコール再確立をサポートしているのでＵＭＡＮへの進入手続を開始する（ステップＳ４）。そして、ＲＲは、非アクティブになり、ＵＲＲは、ＵＲＲ−ＩＤＬＥ状態に入る。ステップＳ５において、ＧＳＭ接続障害に関してＭＭおよびＣＣに通知し、ＣＣは、コール再確立を許可し、ＭＭは、ＵＭＡＮを介してコール再確立を開始する。ＣＭ  ＲＥ−ＥＳＴＡＢＬＩＳＨＭＥＮＴ  ＲＥＱＵＥＳＴメッセージがネットワークに送信された後、ステップＳ６において、ＵＭＡＮのＵＮＣとＧＳＭネットワークのＭＳＣ（移動中継センタ（Mobile Switching Center））とが接続される。こうして、再確立リクエストは、最後はＭＳＣ（移動中継センタ（Mobile Switching Center））まで到達するが、ＵＲＲプロトコルは、この目的のために伝送媒体としてただ使用される。ＵＲＲアップリンクおよびダウンリンク直接転送が確認された後、ステップＳ７において、ＣＭサービスの受け入れをＭＭに示す。その後、ＵＲＲチャネルアクティベーションが承諾され、ステップＳ８において、ＣＳコールが再開される。
【００４６】
図２は、好ましい実施例によって提案されたコール再確立機能が実現される、例えば、移動電話などの端末装置の概略ブロック図を示す。信号制御装置２８によって制御されるトランシーバ装置２２が信号データを送信したり受信したりすることによって、メッセージ生成機能または装置２６によって生成された、例えば、ＵＲＲメッセージなどの信号メッセージを送信することができる。また、このメッセージ生成装置２６は、ＵＭＡＮに送信するＵＲＲ  ＲＥＱＵＥＳＴメッセージを生成する。さらに、障害検出機能または装置２４が提供され、例えば、無線リンクタイムアウトに基づいてＧＳＭ  ＲＲ接続障害状況を検出する。障害状況の検出に応じて、使用ＵＭＡセルがコール再確立をサポートする場合、障害検出装置２４は、信号制御装置２８を制御することによって、進入手続を開始する。コール再確立がＣＣによって許可される場合、ＭＭは、コール再確立を開始し、ＵＲＲ  ＲＥＱＵＥＳＴメッセージは、トランシーバ２２を介してＵＭＡネットワークに送信される。
【実施例２】
【００４７】
図３は、第２の好ましい実施例による上記３ＧＰＰ仕様書に基づくＰＳコールまたはＰＳ接続の再確立に関する他の信号および処理の概略図を示す。
【００４８】
ステップＳ１において、ＵＲＲは、ＢＴ／ＷＬＡＮ基地局を見つけ、その基地局に加わる。ステップＳ２において、ＵＲＲとＵＭＡネットワーク制御装置（ＵＮＣ）との間のＵＭＡ登録手続が実行される。ステップＳ３において、ＵＲＲは、ＵＭＡセルがコール再確立をサポートするか否かをＲＲに示す。
【００４９】
ＵＲＲ登録の後、パケットデータ転送が開始される（ステップＳ４）。ＵＭＡセルのＡＲＦＣＮおよびＢＳＩＣが使用不可能であるという事実により、ＢＳＳ（基地局サブシステム（Base Station Subsystem））にＵＭＡセルを報告することができない。ＵＭＡセルのＡＲＦＣＮおよびＢＳＩＣが使用可能であったとしても、ＭＳがＢＳＳに使用ＵＭＡセルを報告したかもしれないが、ＢＳＳがＵＭＡＮへのＰＣＣＯを命じていない場合が起こりうる。
【００５０】
ステップＳ５において、ＭＳの障害検出装置２４は、アップリンクパケットデータ転送の失敗を認識する。また、ステップＳ６において、ＴＳ４５．００８によるセル再選択を伴う異常リリースも失敗する。これに応じて、信号制御装置２８は、ＵＭＡＮへの進入手続を開始する（ステップＳ７）。そして、ＵＲＲは、アクティブＲＲエンティティになる。最後に、ステップＳ８において、ＵＭＡＮを介してＰＳデータ転送が再開される。
【００５１】
要約すると、少なくとも第１のアクセスネットワークと第２のアクセスネットワークとを備えるデータネットワークにおいて、コールまたは接続を再確立する端末装置および方法について説明した。この端末装置および方法では、端末装置において第１のアクセスネットワークを介して確立されたコールまたは接続の障害の検出が行われ、障害が検出された場合、第２のアクセスネットワークへの登録をチェックした結果に応じて、第２のアクセスネットワークを介してコールまたは接続の再確立が開始される。したがって、特に、第１のアクセスネットワークを介するコール再確立が許可されない場合、他のアクセスネットワークへの受信可能領域が使用可能であれば、新しいオプションが提供されることによって接続障害を回避することができる。
【００５２】
図２に示す端末装置２０の機能または構成単位は、端末装置２０において提供されるコンピュータ装置または処理装置を実行させるよう構成されるソフトウェアルーチンとして実現することができることに留意されたい。代替方法として、図２のブロックで示す構成単位または機能は、別々のハードウェア回路として実現することができる。
【００５３】
さらに、本発明は、上記の実施例に制限されず、コール再確立手続をサポートするネットワークに接続された任意の端末装置または他の無線通信装置において実現することができることに留意されたい。特に、セル式ネットワークとＵＭＡおよびＷＬＡＮ以外の任意のアクセスシステムとの間における任意の相互作用を網羅することが意図されている。また、障害の後無免許アクセスネットワークを介してコールを再確立するセル式アクセスネットワークに従って、任意の種類のアクセス手続を使用することができる。よって、本実施例は、添付の特許請求の範囲において変えることができる。
【図面の簡単な説明】
【００５４】
【図１】第１の実施例による回路スイッチコールの再確立手続における信号および処理の概略図である。
【図２】本実施例による端末装置の概略ブロック図である。
【図３】第１の実施例によるパケットスイッチコールの再確立手続における信号および処理の概略図である。
【符号の説明】
【００５５】
２２    トランシーバ装置
２４    障害検出装置
２６    メッセージ生成装置
２８    信号制御装置
【図１】
2008533894.tif 000003
【図２】
2008533894.tif 000004
【図３】
2008533894.tif 000005
【国際調査報告】
2008533894.tif 000006
2008533894.tif 000007
2008533894.tif 000008